(57)【要約】      （修正有）【課題】ブレスレットやスポーツサポータや交通安全用品として用いられている環状装身具を、広告媒体や各種イベントの告知や運営や実施、等に利用できるようにした広告媒体用の環状装身具を提供する。【解決手段】円形で無端の環状体に形成された環状装身具１０であり、弾性を備えた基材の環状体にするか可撓性を備えた基材の環状体にするかは企業やスポンサーのニーズに合わせて選択可能であり、第一スペース部１１、第二スペース部１２、又は第三スペース部１３が広告用スペース部やイベント告知スペース部やイベント運営スペース部やイベント実施スペース部などとして選択利用される。第一スペース部、第二スペース部、第三スペース部の少なくとも一部には蛍光体や蓄光体を貼付したり蛍光物質や蓄光物質を塗布したり光反射体を貼付したり鏡面体を貼付したり発光手段を設けることが好ましい。【選択図】図１
0003220565.tif 000002
【実用新案登録請求の範囲】
【請求項１】
基材が弾性を備えた細長板状で環状体又は環状に変形するように形成される環状装身具において、前記環状装身具の本体の任意部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コード等を表示できるように形成したことを特徴とする広告媒体用の環状装身具の提供。
【請求項２】
基材が可撓性を備えた細長帯状で環状体又は環状に可撓結着しうる有端の細長帯状体に形成される環状装身具において、前記環状装身具の本体の任意部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コード等を表示できるように形成したことを特徴とする広告媒体用の環状装身具の提供。
【請求項３】
基材が弾性を備えた環状体や疑似環状体であることを特徴とする環状装身具において、前記環状装身具の本体の任意部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コード等を表示できるように形成したことを特徴とする広告媒体用の環状装身具の提供。
【請求項４】
基材が可撓性を備えた環状体や疑似環状体であることを特徴とする環状装身具において、前記環状装身具の本体の任意部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コード等を表示できるように形成したことを特徴とする広告媒体用の環状装身具の提供。
【請求項５】
前記スペース部の少なくとも一部に、蛍光体や蓄光体を貼付したり、蛍光物質や蓄光物質を塗布したり、することを特徴とする、請求項１から請求項４のいずれかに記載の広告媒体用の環状装身具の提供。
【請求項６】
前記スペース部の少なくとも一部に、光反射体を貼付、することを特徴とする、請求項１から請求項４のいずれかに記載の広告媒体用の環状装身具の提供。
【請求項７】
前記スペース部の少なくとも一部に、鏡面体を貼付、することを特徴とする、請求項１から請求項４のいずれかに記載の広告媒体用の環状装身具の提供。
【請求項８】
前記スペース部の少なくとも一部に、発光手段を設けることを特徴とする、請求項１から請求項７のいずれかに記載の広告媒体用の環状装身具の提供。
【考案の詳細な説明】
【技術分野】
【０００１】  本考案は、一般的な消費者が手首に巻き付けて用いるアクセサリーとしてのブレスレット、体操又はテニス等のスポーツ選手のサポータ、蛍光材や反射材を設けた後に腕や足首に巻き付けることで安全な歩行を目標とする歩行者または自転車等に乗る人用の交通安全用具、として使用する環状装身具を広告媒体として利用できるようにした広告媒体用の環状装身具に関するものである。
【背景技術】
【０００２】  一般的な消費者が手首に着脱自在に装着し一部アクセサリーとして用いることでも知られており、一般的にはブレスレットという名称でも知られている環状装身具が知られている。
体操又はテニス等のスポーツ選手やスポーツ愛好者の身体の一部に着脱自在に装着することでスポーツ選手やスポーツ愛好者の身体の一部を保護（サポート）することを目的とし、一般的にはスポーツサポータという名称でも知られている環状装身具が知られている。
身体の一部に着脱自在に装着することができるように形成した装身具に、蛍光材や反射材を設けることで、歩行者や自転車等に乗る人の交通事故に対する安全性を向上させることを目的とし、一般的には交通安全用品の一つとして知られている環状装身具が知られている。【０００３】  また、近年では、企業名の告知活動や広報活動、商品の告知活動や販売促進活動、各種イベントの告知活動や広報活動、等に多種多様な手法が見られるようになってきたにも関わらず、上述したような、例えばブレスレットという名称でも知られている環状装身具や、例えば一般的にはスポーツサポータという名称でも知られている環状装身具や、例えば一般的には交通安全用品の一つとして知られている環状装身具、等が企業名の告知活動や広報活動、商品の告知活動や販売促進活動、各種イベントの告知活動や広報活動、等に利用された事例がないことに本願出願人は気づいた。
【考案の開示】
【考案が解決しようとする課題】
【０００４】  そこで、本願出願人は、特許庁が運営する特許情報プラットフォームを活用して、以下に記載する検索項目とキーワードと検索式を用いて、例えばブレスレットという名称でも知られている環状装身具や、例えば一般的にはスポーツサポータという名称でも知られている環状装身具や、例えば一般的には交通安全用品の一つとして知られている環状装身具、等が企業名の告知活動や広報活動、商品の告知活動や販売促進活動、各種イベントの告知や運営や実施、等に利用された事例が有るのか無いのかの調査をしてみることにした。【０００５】５−１  検索日＝２０１８年８月１日現在
５−２  検索項目（Ｒ１）＝（要約／抄録）
５−３  キーワード（Ｋ１）＝（ブレスレット，装飾具，装身具）
５−４  キーワード（Ｋ２）＝（企業，スポンサ，販）
５−５  検索式＝（Ｒ１）×（Ｋ１）×（Ｋ２）
５−６  ヒット件数＝４３件
５−７  類似案件＝０件
５−８
上記調査結果の考察として、上記検索式の範囲内においては、前記環状装身具を企業名の告知活動や広報活動、商品の告知活動や販売促進活動に活用するために開発された類似案件は見つからなかった。【０００６】６−１  検索日＝２０１８年８月１日現在
６−２  検索項目（Ｒ２）＝（請求の範囲）
６−３  キーワード（Ｋ１）＝（ブレスレット，装飾具，装身具）
６−４  キーワード（Ｋ２）＝（企業，スポンサ，販）
６−５  検索式＝（Ｒ２）×（Ｋ１）×（Ｋ２）
６−６  ヒット件数＝４１件
６−７  類似案件＝０件
６−８
上記調査結果の考察として、上記検索式の範囲内においては、前記環状装身具を企業名の告知活動や広報活動、商品の告知活動や販売促進活動に活用するために開発された類似案件は見つからなかった。【０００７】７−１  検索日＝２０１８年８月１日現在
７−２  検索項目（Ｒ１）＝（要約／抄録）
７−２−１  キーワード（Ｋ１）＝（ブレスレット，装飾具，装身具）
７−２−２  キーワード（Ｋ３）＝（入場，チケット）
７−２−３  検索式＝（Ｒ１）×（Ｋ１）×（Ｋ３）
７−２−４  ヒット件数＝２件
７−２−５
上記調査結果の考察として、検索式（７−２−３）の範囲内においては、前記環状装身具を各種イベントの告知や運営や実施、等に利用された事例が２件見つかった。
７−２−６
類似案件１＝実登３０８６２５４号公報「カード・コイン・チケットを収納する布状筒型ブレスレット」を特許文献１とする。
７−２−７
類似案件２＝特開平０４−１９０４９５号公報「キャッシュレスシステム」を特許文献２とする。）
７−３  検索項目（Ｒ２）＝（請求の範囲）
７−３−１  キーワード（Ｋ１）＝（ブレスレット，装飾具，装身具）
７−３−２  キーワード（Ｋ３）＝（入場，チケット）
７−３−３  検索式＝（Ｒ２）×（Ｋ１）×（Ｋ３）
７−３−４  ヒット件数＝４件
７−３−５
上記調査結果の考察として、検索式（７−３−３）の範囲内においては、前記環状装身具を各種イベントの告知や運営や実施、等に利用された事例が１件見つかった。
７−３−６
類似案件１＝特開２０１４−１７０５１９号公報「行列管理システムおよび方法」を特許文献３とする。
７−４  検索項目（Ｒ３）＝（全文）
７−４−１  キーワード（Ｋ１）＝（ブレスレット，装飾具，装身具）
７−４−２  キーワード（Ｋ３）＝（入場，チケット）
７−４−３  キーワード（Ｋ４）＝（「装置，シール材」を含まない）
７−４−４  検索式＝（Ｒ３）×（Ｋ１）×（Ｋ３）×（Ｋ４）
７−４−５  ヒット件数＝２６件
７−４−６
上記調査結果の考察として、検索式（７−４−４）の範囲内においては、前記環状装身具を各種イベントの告知や運営や実施、等に利用された事例が３件見つかった。
７−４−７
類似案件１＝特表２００８−５００８７２号公報「取り外し可能剥離ライナの無いリストバンド」を特許文献４とする。
類似案件２＝特表２００７−５１７２８２号公報「識別タグ、及び関連する識別タグシステム」を特許文献５とする。
類似案件３＝特開平０７−０３２７８２号公報「リストチケット」を特許文献６とする。【０００８】  特許文献１の実登３０８６２５４号公報「カード・コイン・チケットを収納する布状筒型ブレスレット」に関しては、簡単に手首に装着したブレスレット本体にカード・コイン・チケット等を収納するスペースを設け実用本位を主眼において紛失防止に役立てることを課題とし、その解決手段として、布状筒型のブレスレットに、カード・コイン・チケット等をそれぞれに適した対策を施して収納スペースを設け、本体の装着も簡単にし、収納物の安全かつ迅速な出し入れを配慮する事によって盗難防止、紛失防止に役立たせ、本体の素材に蛍光繊維等を使用した場合は夜間の事故防止に役立ち、近い将来定期券を腕に装着したままで改札口を通過出来る様になる、カード・コイン・チケットを収納する布状筒型ブレスレットを提供できることを特徴とするが、この案件では本明細書で記載した環状装身具とほぼ同義語で表現している前記布状筒型ブレスレットを多目的に利用できる要素がありそれなりに長所もあるが、必要最小限の意匠性を確保しながら企業名の告知活動や広報活動、商品の告知活動や販売促進活動に活用できる環状装身具になるためには製造コスト的に不利な面があると本願出願人は判断した。【０００９】  特許文献２の特開平０４−１９０４９５号公報「キャッシュレスシステム」に関しては、ある定まった地域内でのキャッシュレスシステムであって、地域内へのチェックイン時に本人の識別コードを表すバーコードを個人が地域内で所持する媒体に付与するチェックイン装置と、該チェックイン装置が付与した識別コードを有効登録するコンピュータと、地域内にあって所定のサービスまたは物品を提供する施設ないし設備であって、前記媒体に付されているバーコードを読み取ると、そのバーコードが表す識別コードの有効性を前記コンピュータに問い合わせて、有効の場合は該コンピュータへ送信するための売上情報を作成する端末装置と、地域内からのチェックアウト時に前記識別コードに基づいて前記コンピュータをアクセスして精算処理を行うチェックアウト装置とを具備したことを特徴とするキャッシュレスシステムが知られているが、本願明細書で記載した環状装身具と概略同じような内容で表現している特許文献２で記述されているブレスレットを各種イベントの告知や運営や実施、等に利用するにはそれなりにメリットは感じるが、必要最小限の意匠性を確保しながら企業名の告知活動や広報活動、商品の告知活動や販売促進活動にも応用できるかどうかを検討してみたが本願出願人は疑問を感じた。【００１０】  特許文献３の特開２０１４−１７０５１９号公報「行列管理システムおよび方法」に関しては、アトラクション等の利用客が順番待ち列をバイパスできるトランザクションを管理するシステムの提供を課題とし、その解決手段として、アトラクション１００ａなどを選択すると、その情報がポップアップウイド１０８で呈示され、待ち時間が長い場合、別のアトラクションの詳細を示すプロンプト１００ｂを選択すると、別のポップアップウイドでその情報で呈示され、アトラクション行列の待ち時間だけでなく、現在のプライスなどの情報も呈示されるため、ユーザが順番待ち行列をスキップして選択したアトラクションに向かうことができるリストバンドが提供できることを特徴とするが、本願明細書で記載した環状装身具と概略同じような内容で表現している特許文献３で記述されているリストバンドを各種イベントの告知や運営や実施等に利用するにはそれなりに長所は感じるが、必要最小限の意匠性を確保しながら企業名の告知活動や広報活動、商品の告知活動や販売促進活動にも応用できるかどうかを検討してみたが本願出願人は疑問を感じた。【００１１】  特許文献４の特表２００８−５００８７２号公報「取り外し可能剥離ライナの無いリストバンド」に関しては、人間及び／又は物体を識別する識別ブレスレットにおいて取り外し可能剥離ライナを必要としないように設計された識別ブレスレットに関し、互いに取り外し可能に付着された複数の識別ブレスレットであって、各ブレスレットがカバータブを含む第１の端部と、接着部分を有する閉鎖タブを定める第２の端部とを有し、第２のブレスレットのカバータブは、隣接する第１の識別ブレスレットの閉鎖タブの接着部分の上に取り外し可能に載り、第１及び第２のブレスレットが分離されたときに、第１のブレスレットの接着部分が露出され、カバータブは取り外されたときに第２のブレスレットに留まり、第１のブレスレットの閉鎖タブの接着部分は、閉鎖位置から開放位置まで移動して識別される物体を囲むときに識別ブレスレットの表面に接着され、ブレスレットは、末端でつながりで接続されて細長いストリップを形成し、或いは細長い側縁に沿って識別ブレスレットのシートを形成する、取り外し可能剥離ライナの無いリストバンドが提供できることを特徴とするが、本願明細書で記載した環状装身具と概略同じような内容で表現している特許文献４で記述されているリストバンドを各種イベントの告知や運営や実施等に利用するにはそれなりに長所は感じるが、必要最小限の意匠性を確保しながら企業名の告知活動や広報活動、商品の告知活動や販売促進活動にも応用できるかどうかを検討してみたが本願出願人は疑問を感じた。【００１２】  特許文献５の特表２００７−５１７２８２号公報「識別タグ、及び関連する識別タグシステム」に関しては、着用者の手首等に取り付けるというような、識別タグを選択された着用者又は物体にしっかり取り付けるために、識別タグ、及び関連タグシステムの提供を課題とし、識別タグは、着用者関連の識別情報及び他の識別情報を、人間読み取り可能な、或いは機械読み取り可能な形で受け取るようにされた、比較的コンパクトで実質的な平面構造を備え、この情報記載タグは、選択された着用者又は物体に取り付けるためのリストバンド、又はブレスレットのような細長く曲げやすいストラップ、又はバンドへの素早く簡単な組み付けに適応し、１つの好ましい形態としては、識別タグが、着用者関連情報をリモートのリーダと通信するのに適応した無線周波識別（ＲＦＩＤ）回路を搭載するものや、比較的広域かつ比較的平たんな情報記載表面領域を提供された、曲げやすいストラップを用いて組み付けられる識別タグを含むタグシステムを提供できることを特徴とするが、本願明細書で記載した環状装身具と概略同じような内容で表現している特許文献��で記述されているリストバンドやストラップを各種イベントの告知や運営や実施等に利用するにはそれなりに長所は感じるが、必要最小限の意匠性を確保しながら企業名の告知活動や広報活動、商品の告知活動や販売促進活動にも応用できるかどうかを検討してみたが本願出願人は疑問を感じた。【００１３】  特許文献６の特開平０７−０３２７８２号公報「リストチケット」に関しては、特定の購入者に装着することができ、この購入者が他人に転売および譲渡しようとして取り外した場合に、無効にして不正行為を防止することのできるリストチケットを提供することを目的とし、その構成は、短冊状の基材２の一端部２１近傍に、スリット状の切込を形成した脆弱部３が形成され、この脆弱部３の片面に両面テープ４が貼着されてなるリストチケット１を提供することを特徴とするが、本願明細書で記載した環状装身具と概略同じような内容で表現している特許文献６で記述されているリストチケット１を各種イベントの告知や運営や実施等に利用するにはそれなりに長所は感じるが、必要最小限の意匠性を確保しながら企業名の告知活動や広報活動、商品の告知活動や販売促進活動にも応用できるかどうかを検討してみたが本願出願人は疑問を感じた。【００１４】  本考案は、上記の課題を解決するために成されたものであり、本願出願人は、例えばブレスレットという名称でも知られている環状装身具や、例えば一般的にはスポーツサポータという名称でも知られている環状装身具や、例えば一般的には交通安全用品の一つとして知られている環状装身具、等が企業名の告知活動や広報活動、商品の告知活動や販売促進活動、各種イベントの告知や運営や実施、等に利用できかつ必要最小限の意匠性を確保するように形成させることを特徴とする、広告媒体用の環状装身具の提供を目的とする。
【課題を解決するための手段】
【００１５】  課題を解決するための第１の手段は、基材が弾性を備えた細長板状で環状に変形するように形成される環状装身具において、前記環状装身具の本体の任意部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コード等を表示できるように形成したことを特徴とする広告媒体用の環状装身具を提供することである。【００１６】  課題を解決するための第１の手段で記載された基材が弾性を備えた細長板状に関しては、金属製の細長板状であればその金属の素材は何を用いても構わないものとし、また硬質プラスチック製の細長板状であれば何を用いても構わないものとするが、場合によっては、ポリプロピレン製、アクリル製、ポリカーボネート製、ＡＢＳ樹脂製、硬質塩化ビニル製、硬質ポリエチレン製、ポリエチレンテレフタレート製、エポキシ樹脂、等の使用が好ましい場合が存在する。
また、本考案は、前記硬質プラスチック製の細長板状の両端部が、接着剤又は高周波溶着・熱融着などの溶着手段による結着手段を介して結着されたものとすることが可能である。
課題を解決するための第１の手段で記載された環状に関しては、端部が生じない形状に形成されていれば例えばリング状に見えさえすれば多少変形されていても構わないものとする。
課題を解決するための第１の手段で記載された環状装身具に関しては、身体の腕、足首等に脱着自在に装着可能になるように形成されている環状体又は環状になるように形成されている前記弾性具備細長板状であればどんな材料や製造手段や形成手段を用いても構わないものとする。【００１７】  課題を解決するための第１の手段で記載された広告用スペース部に関しては、その形状や寸法は企業名や商品名や人名や一文字以上の文章が本明細書で記載された環状装身具の所有者や装着者が認識可能になっていれば本考案の実施者の思考や思想や構想に委ねられるものとする。
課題を解決するための第１の手段で記載されたイベント告知スペース部に関してその形状や寸法は、イベントの名称やイベント実施の日時やイベントの内容が文章や情報として本明細書で記載された環状装身具の所有者や装着者が認識可能になっていれば本考案の実施者の思考や思想や構想に委ねられるものとする。
課題を解決するための第１の手段で記載されたイベント運営スペース部に関してその形状や寸法は、イベントを運営する組織や団体の名称やイベントを運営する組織や団体の活動内容の紹介やイベントを運営するのに必要な情報の公開やイベントを運営するのに必要な人的支援の要請やイベントを運営するのに必要な物質的支援の要請やイベントを運営するのに必要な金銭的支援の要請等の内容が本明細書で記載された環状装身具の所有者や装着者が認識可能になっていれば本考案の実施者の思考や思想や構想に委ねられるものとする。
課題を解決するための第１の手段で記載されたイベント実施スペース部に関してその形状や寸法は、イベントを実際に行う場合に必要なチケット情報や入場券情報が記載された内容が本明細書で記載された環状装身具の所有者や装着者が認識可能であり、かつイベントの告知者やイベントの運営者やイベントの実施者等が認識可能に、さらにはイベントの告知者やイベントの運営者やイベントの実施者等が設置したチケット情報や入場券情報の認識装置で認識可能に、なっていれば本考案の実施者の思考や思想や構想に委ねられるものとする。前記チケット情報に関しては、一般的に知られたチケットとして利用できる情報が表示された状態を示すか、一般的に知られたチケットとして利用できるコンテンツが表示された状態を示すかして、チケットとして利用できるように形成されてあればどんな表現手段でも構わない。前記入場券情報に関しては、一般的に知られた入場券として利用できる情報が表示された状態を示すか、一般的に知られた入場券として利用できるコンテンツが表示された状態を示すかして、一般的に知られた入場券として利用できるように形成されてあればどんな表現手段でも構わない。【００１８】  課題を解決するための第１の手段で記載されたイベントに関しては、例えばアマチュアやプロが行うスポーツ大会としては一般的には、球技系としては野球やサッカーやラグビーやアメリカンフットボールやバレーボールやバスケットボールやテニスや卓球等、格闘技系としては柔道や剣道や空手やボクシングやレスリング等が知られている。また例えば、ワールドカップやオリンピックやパラリンピックなど世界的なスポーツ大会等が知られている。また例えば、万国博覧会などの国家的な行事や地方公共団体や地域社会や企業が行う博覧会や展示会等が知られている。また例えば、歌手や合唱団や楽団や音楽家や演奏家によるコンサートや演奏会や音楽祭等が知られている。
課題を解決するための第１の手段で記載された、前記環状装身具の本体の任意部位には、広告用スペース部やイベント告知スペース部やイベント運営スペース部やイベント実施スペース部などから選択された少なくとも一つ以上の前記スペース部を設け、ることに関しては、例えば本考案では前記環状装身具の本体の任意部位には広告用スペース部のみの場合やイベント告知スペース部のみの場合やイベント運営スペース部のみの場合やイベント実施スペース部のみの場合も可能であるものとする。また例えば本考案では、広告用スペース部とイベント告知スペース部の場合や広告用スペース部とイベント運営スペース部の場合や広告用スペース部とイベント実施スペース部の場合も可能であるものとする。また例えば本考案では、広告用スペース部とイベント告知スペース部とイベント運営スペース部の場合や広告用スペース部とイベント告知スペース部とイベント実施スペース部の場合も可能であるものとする。また例えば本考案では、広告用スペース部とイベント告知スペース部とイベント運営スペース部とイベント実施スペース部の場合も可能であるものとする。【００１９】  課題を解決するための第１の手段で記載された一次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記機械読み取り可能表示手段の一例に関しては一般的にはバーコードやバーコードデータが知られており、前記バーコード（英：ｂａｒｃｏｄｅ）は、縞模様状の線の太さによって数値や文字を表す識別子であり、数字、文字、記号などの情報を一定の規則に従い一次元のコードに変換し、レジスターなどの機械が読み取りやすいデジタル情報として入出力できるようにしている。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第１の手段で記載された二次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記二次元コードに関しては、例えば前記バーコードは横方向にのみ意味があり、表すデータも数列や文字列でどちらも一次元だが、ドットを縦横に配列し多くの情報を表すことが可能な二次元のコードに変換し、レジスターなどの機械が読み取りやすいデジタル情報として入出力できるように表示手段を介して表示し、前記二次元コードの代表的なものにデンソーウェーブのＱＲコードが知られており前記ＱＲコードは、１９９４年にデンソーの開発部門（現在は分離しデンソーウェーブ）が開発したマトリックス型二次元コードであり、かつＱＲコードはデンソーウェーブの登録商標（第４０７５０６６号）である。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第１の手段で記載された、数字や文字や記号や図形や一次元コードや二次元コード等を表示できるように形成、することに関しては、一般的には表示手段を介して表示することが好ましいが、前記表示手段に関しては、課題を解決するための第１の手段で記載された前記スペース部に課題を解決するための第１の手段で記載された数字や文字や記号や図形や一次元コードや二次元コード等の情報を表示するためならどんな手段でも構わないが、例えば一般的に知られた印刷装置や印字装置を介した印刷手段や印字手段、予め前記情報を印刷や印字されたラベルを添付する手段などが知られている。【００２０】  課題を解決するための第２の手段は、基材が可撓性を備えた細長帯状で環状に可撓結着しうる有端の細長帯状体に形成される環状装身具において、前記環状装身具の本体の任意部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コード等を表示できるように形成したことを特徴とする広告媒体用の環状装身具を提供することである。【００２１】  課題を解決するための第２の手段で記載された基材が可撓性を備えた細長帯状で環状に可撓結着しうる有端の細長帯状体に関しては、例えば天然皮革製の帯状バンド体や合成皮革製の帯状バンド体や人工皮革製の帯状バンド体や軟質プラスチック製の帯状バンド体や軟質プラスチック製のテープ状や軟質プラスチック製のチューブ状などの中から選択して用いれば良いものとする。
前記天然皮革製の帯状バンド体に関しては、まず環状になるように形成可能な可撓性を備えた天然皮革製の細長帯状体で両端部に結着手段を形成させることが可能ならば使用する動物性の皮革の種類は問わないものとする。
前記合成皮革製帯状バンド体に関しては、一般的にはナイロンやポリエステル生地の上にポリウレタンをはじめとした樹脂層をコーティングして作られ、生地は編み物や織物をベースとしたものでその上に樹脂層が載るように可撓結着しうる有端の細長帯状体に形成したことを特徴とするが多少のアレンジは構わないものとする。
前記人工皮革製帯状バンド体に関しては、一般的には生地の構造から天然皮革を人工的に限りなく再現しようとしたものが人工皮革であり、ナイロンやポリエステル繊維を絡め、ポリウレタン樹脂をしみこませて組成した不織布層を生地にし、表面にはポリウレタン樹脂が主となる表面樹脂層を作り、天然皮革に似せるためにデザイン加工を施して風合いを似せるようにして可撓結着しうる有端の細長帯状体に形成したことを特徴とするが多少のアレンジは構わないものとする。
前記合成皮革製帯状バンド体と前記人工皮革製帯状バンド体を比較すると、素材としてはナイロンやポリエステルを用いてポリウレタンによって革を表現しようとする手段は似ているが、前記人工皮革製帯状バンド体の方が前記合成皮革製バンド体よりは天然皮革により近い一体感があるのが特徴で、また天然皮革と同じように耐久性やソフトな質感に優れ、さらに通気性やフィット性にも富み、天然皮革にはないストレッチ機能性を有したものも知られている。
前記軟質プラスチック製帯状バンド体に関しては、まず環状になるように形成可能な可撓性を備えた前記軟質プラスチック製の細長帯状体で両端部に結着手段を形成させることが可能ならば、使用する前記軟質プラスチック製の種類は問わないものとするが、前記軟質プラスチック製に関しては、一例として、軟質塩化ビニル製、軟質ポリエチレン製、ナイロン製、ポリウレタン製、ＥＶＡ樹脂製、シリコンゴム製、シリコン樹脂製等から選択して用いればよいものとする。
前記軟質プラスチック製テープ状に関しては、まず環状になるように形成可能な可撓性を備えた前記軟質プラスチック製の細長帯状体で両端部に結着手段を形成させることが可能ならば、使用する前記軟質プラスチック製の種類は問わないものとするが、前記軟質プラスチック製に関しては、一例として、軟質塩化ビニル製、軟質ポリエチレン製、ナイロン製、ポリウレタン製、ＥＶＡ樹脂製、等から選択して用いればよいものとする。
前記軟質プラスチック製のチューブ状に関しては、まず環状になるように形成可能な可撓性を備えた前記軟質プラスチック製のチューブ状の両端部に結着手段を形成させることが可能ならば、使用する前記軟質プラスチック製の種類は問わないものとするが、前記軟質プラスチック製に関しては、一例として、軟質塩化ビニル製、軟質ポリエチレン製、ナイロン製、ポリウレタン製、ＥＶＡ樹脂製、シリコンゴム製、シリコン樹脂製等から選択して用いればよいものとする。
また、本考案は、前記軟質プラスチック製帯状バンド体の両端部や、前記軟質プラスチック製テープ状の両端部や、前記軟質プラスチック製のチューブ状の両端部等が、接着剤又は高周波溶着・熱融着などの溶着手段による結着手段を介して結着されたものとすることが可能である。
課題を解決するための第２の手段で記載された環状に関しては、端部が生じない形状に形成されていれば例えばリング状に見えさえすれば多少変形されていても構わないものとする。
課題を解決するための第２の手段で記載された環状装身具に関しては、身体の腕、足首等に脱着自在に装着可能な環状になるように形成されている前記弾性具備細長板状であればどんな材料や製造手段や形成手段を用いても構わないものとする。【００２２】  課題を解決するための第２の手段で記載された広告用スペース部に関しては、その形状や寸法は企業名や商品名や人名や一文字以上の文章が本明細書で記載された環状装身具の所有者や装着者が認識可能になっていれば本考案の実施者の思考や思想や構想に委ねられるものとする。
課題を解決するための第２の手段で記載されたイベント告知スペース部に関してその形状や寸法は、イベントの名称やイベント実施の日時やイベントの内容が文章や情報として本明細書で記載された環状装身具の所有者や装着者が認識可能になっていれば本考案の実施者の思考や思想や構想に委ねられるものとする。
課題を解決するための第２の手段で記載されたイベント運営スペース部に関してその形状や寸法は、イベントを運営する組織や団体の名称やイベントを運営する組織や団体の活動内容の紹介やイベントを運営するのに必要な情報の公開やイベントを運営するのに必要な人的支援の要請やイベントを運営するのに必要な物質的支援の要請やイベントを運営するのに必要な金銭的支援の要請等の内容が本明細書で記載された環状装身具の所有者や装着者が認識可能になっていれば本考案の実施者の思考や思想や構想に委ねられるものとする。
課題を解決するための第２の手段で記載されたイベント実施スペース部に関してその形状や寸法は、イベントを実際に行う場合に必要なチケット情報や入場券情報が記載された内容が本明細書で記載された環状装身具の所有者や装着者が認識可能であり、かつイベントの告知者やイベントの運営者やイベントの実施者等が認識可能に、さらにはイベントの告知者やイベントの運営者やイベントの実施者等が設置したチケット情報や入場券情報の認識装置で認識可能に、なっていれば本考案の実施者の思考や思想や構想に委ねられるものとする。前記チケット情報に関しては、一般的に知られたチケットとして利用できる情報が表示された状態を示すか、一般的に知られたチケットとして利用できるコンテンツが表示された状態を示すかして、チケットとして利用できるように形成されてあればどんな表現手段でも構わない。前記入場券情報に関しては、一般的に知られた入場券として利用できる情報が表示された状態を示すか、一般的に知られた入場券として利用できるコンテンツが表示された状態を示すかして、一般的に知られた入場券として利用できるように形成されてあればどんな表現手段でも構わない。【００２３】  課題を解決するための第２の手段で記載されたイベントに関しては、例えばアマチュアやプロが行うスポーツ大会としては一般的には、球技系としては野球やサッカーやラグビーやアメリカンフットボールやバレーボールやバスケットボールやテニスや卓球等、格闘技系としては柔道や剣道や空手やボクシングやレスリング等が知られている。また例えば、ワールドカップやオリンピックやパラリンピックなど世界的なスポーツ大会等が知られている。また例えば、万国博覧会などの国家的な行事や地方公共団体や地域社会や企業が行う博覧会や展示会等が知られている。また例えば、歌手や合唱団や楽団や音楽家や演奏家によるコンサートや演奏会や音楽祭等が知られている。
課題を解決するための第２の手段で記載された、前記環状装身具の本体の任意部位には、広告用スペース部やイベント告知スペース部やイベント運営スペース部やイベント実施スペース部などから選択された少なくとも一つ以上の前記スペース部を設け、ることに関しては、例えば本考案では前記環状装身具の本体の任意部位には広告用スペース部のみの場合やイベント告知スペース部のみの場合やイベント運営スペース部のみの場合やイベント実施スペース部のみの場合も可能であるものとする。また例えば本考案では、広告用スペース部とイベント告知スペース部の場合や広告用スペース部とイベント運営スペース部の場合や広告用スペース部とイベント実施スペース部の場合も可能であるものとする。また例えば本考案では、広告用スペース部とイベント告知スペース部とイベント運営スペース部の場合や広告用スペース部とイベント告知スペース部とイベント実施スペース部の場合も可能であるものとする。また例えば本考案では、広告用スペース部とイベント告知スペース部とイベント運営スペース部とイベント実施スペース部の場合も可能であるものとする。【００２４】  課題を解決するための第２の手段で記載された一次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記機械読み取り可能表示手段の一例に関しては一般的にはバーコードやバーコードデータが知られており、前記バーコード（英：ｂａｒｃｏｄｅ）は、縞模様状の線の太さによって数値や文字を表す識別子であり、数字、文字、記号などの情報を一定の規則に従い一次元のコードに変換し、レジスターなどの機械が読み取りやすいデジタル情報として入出力できるようにしている。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第２の手段で記載された二次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記二次元コードに関しては、例えば前記バーコードは横方向にのみ意味があり、表すデータも数列や文字列でどちらも一次元だが、ドットを縦横に配列し多くの情報を表すことが可能な二次元のコードに変換し、レジスターなどの機械が読み取りやすいデジタル情報として入出力できるように表示手段を介して表示し、前記二次元コードの代表的なものにデンソーウェーブのＱＲコードが知られており前記ＱＲコードは、１９９４年にデンソーの開発部門（現在は分離しデンソーウェーブ）が開発したマトリックス型二次元コードであり、かつＱＲコードはデンソーウェーブの登録商標（第４０７５０６６号）である。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第２の手段で記載された、数字や文字や記号や図形や一次元コードや二次元コード等を表示できるように形成、することに関しては、一般的には表示手段を介して表示することが好ましいが、前記表示手段に関しては、課題を解決するための第２の手段で記載された前記スペース部に課題を解決するための第２の手段で記載された数字や文字や記号や図形や一次元コードや二次元コード等の情報を表示するためならどんな手段でも構わないが、例えば一般的に知られた印刷装置や印字装置を介した印刷手段や印字手段、予め前記情報を印刷や印字されたラベルを添付する手段などが知られている。【００２５】  課題を解決するための第３の手段は、基材が弾性を備えた環状体や疑似環状体であることを特徴とする環状装身具において、前記環状装身具の本体の任意部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コード等を表示できるように形成したことを特徴とする広告媒体用の環状装身具を提供することである。【００２６】  課題を解決するための第３の手段で記載された基材が弾性を備えた環状体に関しては、例えば金属製の環状体であればその金属の素材は何を用いても構わないものとし、また硬質プラスチック製の環状体であれば何を用いても構わないものとするが、場合によっては、ポリプロピレン製、アクリル製、ポリカーボネート製、ＡＢＳ樹脂製、硬質塩化ビニル製、硬質ポリエチレン製、ポリエチレンテレフタレート製、エポキシ樹脂、等の使用が好ましい場合が存在する。
課題を解決するための第３の手段で記載された基材が弾性を備えた疑似環状体に関しては、その形状の少なくとも一部に切り欠いた部位が形成されていても構わないものとし、その場合には略Ｃ字状に見えたり略Ｕ字状に見えたりする場合があるものとする。
課題を解決するための第３の手段で記載された環状装身具に関しては、身体の腕、足首等に脱着自在に装着可能になるように形成されている前記環状体や前記環状になるように形成されていれば多少変形していてもどんな材料や製造手段や形成手段を用いても構わないものとする。【００２７】  課題を解決するための第３の手段で記載された広告用スペース部に関しては、その形状や寸法は企業名や商品名や人名や一文字以上の文章が本明細書で記載された環状装身具の所有者や装着者が認識可能になっていれば本考案の実施者の思考や思想や構想に委ねられるものとする。
課題を解決するための第３の手段で記載されたイベント告知スペース部に関してその形状や寸法は、イベントの名称やイベント実施の日時やイベントの内容が文章や情報として本明細書で記載された環状装身具の所有者や装着者が認識可能になっていれば本考案の実施者の思考や思想や構想に委ねられるものとする。
課題を解決するための第３の手段で記載されたイベント運営スペース部に関してその形状や寸法は、イベントを運営する組織や団体の名称やイベントを運営する組織や団体の活動内容の紹介やイベントを運営するのに必要な情報の公開やイベントを運営するのに必要な人的支援の要請やイベントを運営するのに必要な物質的支援の要請やイベントを運営するのに必要な金銭的支援の要請等の内容が本明細書で記載された環状装身具の所有者や装着者が認識可能になっていれば本考案の実施者の思考や思想や構想に委ねられるものとする。
課題を解決するための第３の手段で記載されたイベント実施スペース部に関してその形状や寸法は、イベントを実際に行う場合に必要なチケット情報や入場券情報が記載された内容が本明細書で記載された環状装身具の所有者や装着者が認識可能であり、かつイベントの告知者やイベントの運営者やイベントの実施者等が認識可能に、さらにはイベントの告知者やイベントの運営者やイベントの実施者等が設置したチケット情報や入場券情報の認識装置で認識可能に、なっていれば本考案の実施者の思考や思想や構想に委ねられるものとする。前記チケット情報に関しては、一般的に知られたチケットとして利用できる情報が表示された状態を示すか、一般的に知られたチケットとして利用できるコンテンツが表示された状態を示すかして、チケットとして利用できるように形成されてあればどんな表現手段でも構わない。前記入場券情報に関しては、一般的に知られた入場券として利用できる情報が表示された状態を示すか、一般的に知られた入場券として利用できるコンテンツが表示された状態を示すかして、一般的に知られた入場券として利用できるように形成されてあればどんな表現手段でも構わない。【００２８】  課題を解決するための第３の手段で記載されたイベントに関しては、例えばアマチュアやプロが行うスポーツ大会としては一般的には、球技系としては野球やサッカーやラグビーやアメリカンフットボールやバレーボールやバスケットボールやテニスや卓球等、格闘技系としては柔道や剣道や空手やボクシングやレスリング等が知られている。また例えば、ワールドカップやオリンピックやパラリンピックなど世界的なスポーツ大会等が知られている。また例えば、万国博覧会などの国家的な行事や地方公共団体や地域社会や企業が行う博覧会や展示会等が知られている。また例えば、歌手や合唱団や楽団や音楽家や演奏家によるコンサートや演奏会や音楽祭等が知られている。
課題を解決するための第３の手段で記載された、前記環状装身具の本体の任意部位には、広告用スペース部やイベント告知スペース部やイベント運営スペース部やイベント実施スペース部などから選択された少なくとも一つ以上の前記スペース部を設け、ることに関しては、例えば本考案では前記環状装身具の本体の任意部位には広告用スペース部のみの場合やイベント告知スペース部のみの場合やイベント運営スペース部のみの場合やイベント実施スペース部のみの場合も可能であるものとする。また例えば本考案では、広告用スペース部とイベント告知スペース部の場合や広告用スペース部とイベント運営スペース部の場合や広告用スペース部とイベント実施スペース部の場合も可能であるものとする。また例えば本考案では、広告用スペース部とイベント告知スペース部とイベント運営スペース部の場合や広告用スペース部とイベント告知スペース部とイベント実施スペース部の場合も可能であるものとする。また例えば本考案では、広告用スペース部とイベント告知スペース部とイベント運営スペース部とイベント実施スペース部の場合も可能であるものとする。【００２９】  課題を解決するための第３の手段で記載された一次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記機械読み取り可能表示手段の一例に関しては一般的にはバーコードやバーコードデータが知られており、前記バーコード（英：ｂａｒｃｏｄｅ）は、縞模様状の線の太さによって数値や文字を表す識別子であり、数字、文字、記号などの情報を一定の規則に従い一次元のコードに変換し、レジスターなどの機械が読み取りやすいデジタル情報として入出力できるようにしている。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第３の手段で記載された二次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記二次元コードに関しては、例えば前記バーコードは横方向にのみ意味があり、表すデータも数列や文字列でどちらも一次元だが、ドットを縦横に配列し多くの情報を表すことが可能な二次元のコードに変換し、レジスターなどの機械が読み取りやすいデジタル情報として入出力できるように表示手段を介して表示し、前記二次元コードの代表的なものにデンソーウェーブのＱＲコードが知られており前記ＱＲコードは、１９９４年にデンソーの開発部門（現在は分離しデンソーウェーブ）が開発したマトリックス型二次元コードであり、かつＱＲコードはデンソーウェーブの登録商標（第４０７５０６６号）である。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第３の手段で記載された、数字や文字や記号や図形や一次元コードや二次元コード等を表示できるように形成、することに関しては、一般的には表示手段を介して表示することが好ましいが、前記表示手段に関しては、課題を解決するための第３の手段で記載された前記スペース部に課題を解決するための第３の手段で記載された数字や文字や記号や図形や一次元コードや二次元コード等の情報を表示するためならどんな手段でも構わないが、例えば一般的に知られた印刷装置や印字装置を介した印刷手段や印字手段、予め前記情報を印刷や印字されたラベルを添付する手段などが知られている。【００３０】  課題を解決するための第４の手段は、基材が可撓性を備えた環状体や疑似環状体であることを特徴とする環状装身具において、前記環状装身具の本体の任意部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コード等を表示できるように形成したことを特徴とする広告媒体用の環状装身具を提供することである。【００３１】  課題を解決するための第４の手段で記載された基材が可撓性を備えた環状体に関しては、例えば天然皮革製環状バンド体や合成皮革製環状バンド体や人工皮革製環状バンド体や軟質プラスチック製環状バンド体や軟質プラスチック製テープ状環状体や軟質プラスチック製チューブ状環状体などの中から選択して用いれば良いものとする。
前記天然皮革製環状バンド体に関しては、まず環状体になるように形成可能な可撓性を備えた天然皮革製の細長帯状体で両端部を結着手段を介して結着形成させることが可能ならば使用する動物性の皮革の種類及び結着手段は問わないものとする。
前記合成皮革製環状バンド体に関しては、一般的にはナイロンやポリエステル生地の上にポリウレタンをはじめとした樹脂層をコーティングして作られ、生地は編み物や織物をベースとして細長帯状体に形成しその上に樹脂層が載るように形成した後に両端部を結着手段を介して結着させ環状体になるように形成したことを特徴とするが多少のアレンジは構わないものとする。
前記人工皮革製環状バンド体に関しては、一般的には生地の構造から天然皮革を人工的に限りなく再現しようとしたものが人工皮革であり、ナイロンやポリエステル繊維を絡め、ポリウレタン樹脂をしみこませて組成した不織布層を生地にし、表面にはポリウレタン樹脂が主となる表面樹脂層を作り、天然皮革に似せるためにデザイン加工を施して風合いを似せるようにして細長帯状体に形成した後に両端部を結着手段を介して結着させ環状体になるように形成したことを特徴とするが多少のアレンジは構わないものとする。
前記合成皮革製環状バンド体と前記人工皮革製環状バンド体を比較すると、素材としてはナイロンやポリエステルを用いてポリウレタンによって革を表現しようとする手段は似ているが、前記人工皮革製環状バンド体の方が前記合成皮革製環状バンド体よりは天然皮革により近い一体感があるのが特徴で、また天然皮革と同じように耐久性やソフトな質感に優れ、さらに通気性やフィット性にも富み、天然皮革にはないストレッチ機能性を有したものも知られている。
前記軟質プラスチック製環状バンド体に関しては、まず環状になるように形成可能な可撓性を備えた前記軟質プラスチック製の細長帯状体で両端部を結着手段を介して結着させ環状に形成させることが可能ならば、使用する前記軟質プラスチック製の種類は問わないものとするが、前記軟質プラスチック製に関しては、一例として、軟質塩化ビニル製、軟質ポリエチレン製、ナイロン製、ポリウレタン製、ＥＶＡ樹脂製、等から選択して用いればよいものとする。
前記軟質プラスチック製テープ状環状体に関しては、まず環状になるように形成可能な可撓性を備えた前記軟質プラスチック製の細長帯状体の両端部を結着手段を介して結着させることで環状に形成させることが可能ならば、使用する前記軟質プラスチック製の種類は問わないものとするが、前記軟質プラスチック製に関しては、一例として、軟質塩化ビニル製、軟質ポリエチレン製、ナイロン製、ポリウレタン製、ＥＶＡ樹脂製、シリコンゴム製、シリコン樹脂製等から選択して用いればよいものとする。
前記軟質プラスチック製チューブ状環状体に関しては、まず環状になるように形成可能な可撓性を備えた前記軟質プラスチック製のチューブ状の両端部に結着手段を介して結着させ環状に形成させることが可能ならば、使用する前記軟質プラスチック製の種類は問わないものとするが、前記軟質プラスチック製に関しては、一例として、軟質塩化ビニル製、軟質ポリエチレン製、ナイロン製、ポリウレタン製、ＥＶＡ樹脂製、シリコンゴム製、シリコン樹脂製等から選択して用いればよいものとする。
また、本考案は、前記結着手段に関しては、接着剤を用いた接着手段、前記軟質プラスチックが軟化又は溶解する温度を発生させる高周波加熱装置を用いた高周波溶着手段、前記軟質プラスチックが軟化又は溶解する温度を発生させる加熱装置を用いた熱融着手段等から選択して用いれば良いものとする。
課題を解決するための第４の手段で記載された基材が可撓性を備えた環状に関しては、端部が生じない形状に形成されていれば例えばリング状に見えさえすれば多少変形されていても構わないものとする。
課題を解決するための第４の手段で記載された基材が可撓性を備えた疑似環状体に関しては、その形状の少なくとも一部に切り欠いた部位が形成されていても構わないものとし、その場合には略Ｃ字状に見えたり略Ｕ字状に見えたりする場合があるものとする。
課題を解決するための第４の手段で記載された環状装身具に関しては、身体の腕、足首等に脱着自在に装着可能な環状になるように形成されているのであれば、前記天然皮革製バンド体に使用する材料や製造手段や形成手段や、前記合成皮革製バンド体に使用する材料や製造手段や形成手段や、前記人工皮革製バンド体に使用する材料や製造手段や形成手段や、前記軟質プラスチック製バンド体に使用する材料や製造手段や形成手段や、前記軟質プラスチック製テープ状に使用する材料や製造手段や形成手段や、前記軟質プラスチック製チューブ状に使用する材料や製造手段や形成手段等の応用により多少変形していてもどんな材料や製造手段や形成手段を用いても構わないものとする。【００３２】  課題を解決するための第４の手段で記載された広告用スペース部に関しては、その形状や寸法は企業名や商品名や人名や一文字以上の文章が本明細書で記載された環状装身具の所有者や装着者が認識可能になっていれば本考案の実施者の思考や思想や構想に委ねられるものとする。
課題を解決するための第４の手段で記載されたイベント告知スペース部に関してその形状や寸法は、イベントの名称やイベント実施の日時やイベントの内容が文章や情報として本明細書で記載された環状装身具の所有者や装着者が認識可能になっていれば本考案の実施者の思考や思想や構想に委ねられるものとする。
課題を解決するための第４の手段で記載されたイベント運営スペース部に関してその形状や寸法は、イベントを運営する組織や団体の名称やイベントを運営する組織や団体の活動内容の紹介やイベントを運営するのに必要な情報の公開やイベントを運営するのに必要な人的支援の要請やイベントを運営するのに必要な物質的支援の要請やイベントを運営するのに必要な金銭的支援の要請等の内容が本明細書で記載された環状装身具の所有者や装着者が認識可能になっていれば本考案の実施者の思考や思想や構想に委ねられるものとする。
課題を解決するための第４の手段で記載されたイベント実施スペース部に関してその形状や寸法は、イベントを実際に行う場合に必要なチケット情報や入場券情報が記載された内容が本明細書で記載された環状装身具の所有者や装着者が認識可能であり、かつイベントの告知者やイベントの運営者やイベントの実施者等が認識可能に、さらにはイベントの告知者やイベントの運営者やイベントの実施者等が設置したチケット情報や入場券情報の認識装置で認識可能に、なっていれば本考案の実施者の思考や思想や構想に委ねられるものとする。前記チケット情報に関しては、一般的に知られたチケットとして利用できる情報が表示された状態を示すか、一般的に知られたチケットとして利用できるコンテンツが表示された状態を示すかして、チケットとして利用できるように形成されてあればどんな表現手段でも構わない。前記入場券情報に関しては、一般的に知られた入場券として利用できる情報が表示された状態を示すか、一般的に知られた入場券として利用できるコンテンツが表示された状態を示すかして、一般的に知られた入場券として利用できるように形成されてあればどんな表現手段でも構わない。【００３３】  課題を解決するための第４の手段で記載されたイベントに関しては、例えばアマチュアやプロが行うスポーツ大会としては一般的には、球技系としては野球やサッカーやラグビーやアメリカンフットボールやバレーボールやバスケットボールやテニスや卓球等、格闘技系としては柔道や剣道や空手やボクシングやレスリング等が知られている。また例えば、ワールドカップやオリンピックやパラリンピックなど世界的なスポーツ大会等が知られている。また例えば、万国博覧会などの国家的な行事や地方公共団体や地域社会や企業が行う博覧会や展示会等が知られている。また例えば、歌手や合唱団や楽団や音楽家や演奏家によるコンサートや演奏会や音楽祭等が知られている。
課題を解決するための第４の手段で記載された、前記環状装身具の本体の任意部位には、広告用スペース部やイベント告知スペース部やイベント運営スペース部やイベント実施スペース部などから選択された少なくとも一つ以上の前記スペース部を設け、ることに関しては、例えば本考案では前記環状装身具の本体の任意部位には広告用スペース部のみの場合やイベント告知スペース部のみの場合やイベント運営スペース部のみの場合やイベント実施スペース部のみの場合も可能であるものとする。また例えば本考案では、広告用スペース部とイベント告知スペース部の場合や広告用スペース部とイベント運営スペース部の場合や広告用スペース部とイベント実施スペース部の場合も可能であるものとする。また例えば本考案では、広告用スペース部とイベント告知スペース部とイベント運営スペース部の場合や広告用スペース部とイベント告知スペース部とイベント実施スペース部の場合も可能であるものとする。また例えば本考案では、広告用スペース部とイベント告知スペース部とイベント運営スペース部とイベント実施スペース部の場合も可能であるものとする。【００３４】  課題を解決するための第４の手段で記載された一次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記機械読み取り可能表示手段の一例に関しては一般的にはバーコードやバーコードデータが知られており、前記バーコード（英：ｂａｒｃｏｄｅ）は、縞模様状の線の太さによって数値や文字を表す識別子であり、数字、文字、記号などの情報を一定の規則に従い一次元のコードに変換し、レジスターなどの機械が読み取りやすいデジタル情報として入出力できるようにしている。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第４の手段で記載された二次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記二次元コードに関しては、例えば前記バーコードは横方向にのみ意味があり、表すデータも数列や文字列でどちらも一次元だが、ドットを縦横に配列し多くの情報を表すことが可能な二次元のコードに変換し、レジスターなどの機械が読み取りやすいデジタル情報として入出力できるように表示手段を介して表示し、前記二次元コードの代表的なものにデンソーウェーブのＱＲコードが知られており前記ＱＲコードは、１９９４年にデンソーの開発部門（現在は分離しデンソーウェーブ）が開発したマトリックス型二次元コードであり、かつＱＲコードはデンソーウェーブの登録商標（第４０７５０６６号）である。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第４の手段で記載された、数字や文字や記号や図形や一次元コードや二次元コード等を表示できるように形成、することに関しては、一般的には表示手段を介して表示することが好ましいが、前記表示手段に関しては、課題を解決するための第４の手段で記載された前記スペース部に課題を解決するための第４の手段で記載された数字や文字や記号や図形や一次元コードや二次元コード等の情報を表示するためならどんな手段でも構わないが、例えば一般的に知られた印刷装置や印字装置を介した印刷手段や印字手段、予め前記情報を印刷や印字されたラベルを添付する手段などが知られている。【００３５】  課題を解決するための第５の手段は、前記スペース部の少なくとも一部に、蛍光体や蓄光体を貼付したり、蛍光物質や蓄光物質を塗布したり、することを特徴とする、課題を解決するための第１の手段（請求項１）から課題を解決するための第４の手段（請求項４）のいずれかに記載の広告媒体用の環状装身具を提供することである。【００３６】  課題を解決するための第５の手段で記載された前記スペース部に関しては、課題を解決するための第１の手段（請求項１）から課題を解決するための第４の手段（請求項４）で記載された、広告用スペース部、イベント告知スペース部、イベント運営スペース部、イベント実施スペース部、等の前記スペース部に関する記載内容に準ずるものとする。
課題を解決するための第５の手段で記載された蛍光体や蓄光体を貼付、することに関しては、一般的には貼付手段を介して貼付することが好ましいが、前記スペース部の少なくとも一部に蛍光体や蓄光体を付着させたラベル等が貼付できるようになっていればどんな手段でも構わないものとする。
課題を解決するための第５の手段で記載された蛍光物質や蓄光物質を塗付、することに関しては、一般的には塗布手段を介して塗布することが好ましいが、前記スペース部の少なくとも一部に蛍光体や蓄光体を付着させることができればどんな塗布手段を用いても構わないものとする。
とにかく前記スペース部の少なくとも一部に前記蛍光物質や前記蓄光物質を付着させることが可能ならばどんな手段を用いても構わないものとする。
また前記蛍光物質や前記蓄光物質に関しては、一般的に市販されているタイプのものを用いれば良いものとする。例えば前記蛍光物質に関しては一般的なインターネット検索サイトの「ｇｏｏｇｌｅ」を用いて「蛍光物質」を探せば相当数の蛍光塗料や蛍光材料がヒットされるのでその中から選択して用いれば良いものとする。また例えば前記蓄光物質に関しては一般的なインターネット検索サイトの「ｇｏｏｇｌｅ」を用いて「蓄光物質」を探せば相当数の蓄光塗料や蓄光材料がヒットされるのでその中から選択して用いれば良いものとする。【００３７】  課題を解決するための第６の手段は、前記スペース部の少なくとも一部に、光反射体を貼付、することを特徴とする、課題を解決するための第１の手段（請求項１）から課題を解決するための第４の手段（請求項４）のいずれかに記載の広告媒体用の環状装身具を提供することである。【００３８】  課題を解決するための第６の手段で記載された前記スペース部に関しては、課題を解決するための第１の手段（請求項１）から課題を解決するための第４の手段（請求項４）で記載された、広告用スペース部、イベント告知スペース部、イベント運営スペース部、イベント実施スペース部、等の前記スペース部に関する記載内容に準ずるものとする。
課題を解決するための第６の手段で記載された光反射体を貼付、することに関しては、一般的には貼付手段を介して貼付することが好ましいが、前記スペース部の少なくとも一部に例えば光反射体に粘着剤を付着させた光反射体ラベル等に形成させた一例のように貼付できるようになっていればどんな手段でも構わないものとする。
また前記光反射体に関しては、一般的に市販されているタイプのものを用いれば良いものとする。例えば前記光反射体に関しては一般的なインターネット検索サイトの「ｇｏｏｇｌｅ」を用いて「光反射体」を探せば相当数の光反射シートや光反射板や光反射テープがヒットされるのでその中から選択して用いれば良いものとする。【００３９】  課題を解決するための第７の手段は、前記スペース部の少なくとも一部に、鏡面体を貼付、することを特徴とする、課題を解決するための第１の手段（請求項１）から課題を解決するための第４の手段（請求項４）のいずれかに記載の広告媒体用の環状装身具を提供することである。【００４０】  課題を解決するための第７の手段で記載された前記スペース部に関しては、課題を解決するための第１の手段（請求項１）から課題を解決するための第４の手段（請求項４）で記載された、広告用スペース部、イベント告知スペース部、イベント運営スペース部、イベント実施スペース部、等の前記スペース部に関する記載内容に準ずるものとする。
課題を解決するための第７の手段で記載された鏡面体を貼付、することに関しては、一般的には貼付手段を介して貼付することが好ましいが、前記スペース部の少なくとも一部に例えば鏡面体に粘着剤を付着させた鏡面体ラベル等に形成させた一例のように貼付できるようになっていればどんな手段でも構わないものとする。
また前記鏡面体に関しては、一般的に市販されているタイプのものを用いれば良いものとする。例えば前記光反射体に関しては一般的なインターネット検索サイトの「ｇｏｏｇｌｅ」を用いて「鏡面体」を探せば相当数の鏡面体がヒットされるのでその中から選択して用いれば良いものとする。【００４１】  課題を解決するための第８の手段は、前記スペース部の少なくとも一部に、発光手段を設けることを特徴とする、課題を解決するための第１の手段（請求項１）から課題を解決するための第７の手段（請求項７）のいずれかに記載の広告媒体用の環状装身具を提供することである。【００４２】  課題を解決するための第８の手段で記載された前記スペース部に関しては、課題を解決するための第１の手段（請求項１）から課題を解決するための第４の手段（請求項４）で記載された、広告用スペース部、イベント告知スペース部、イベント運営スペース部、イベント実施スペース部、等の前記スペース部に関する記載内容に準ずるものとする。
課題を解決するための第８の手段で記載された発光手段に関しては、電圧を印加することで自発発光する手段であれば何を用いても構わないが、一般的に市販されている、発光ダイオード（ＬＥＤ）のような半導体素子、有機ＥＬ素子、有機エレクトロルミネッセンス（ＥＬ）表示装置、有機ＥＬ表示装置、電気泳動素子等を有する電子ペーパー型表示装置、液晶パネル、液晶ディスプレイ、液晶表示装置、等の中から選択して用いれば良いものとする。
また、例えば、前記有機ＥＬ表示装置や前記電子ペーパー型表示装置や前記液晶表示装置等に本願明細書で記載された前記スペース部に表示できるように形成した数字や文字や記号や図形や一次元コードや二次元コード等を表示できるようにしても構わないものとする。
【考案の効果】
【００４３】  請求項１及び請求項５〜請求項７の考案によって、耐久性や強度を要求されても比較的コストを下げる要求や要望に応えられる環状装身具が可能になり、本願明細書で記載された前記スペース部に記載される内容を作成するに当たり本考案を実施しようとする企業やスポンサーの多様な要求や要望に応えることが可能でありながら本考案の装着者の一般道での歩行中に二輪車や自動二輪車や四輪車から身を守ることが可能な広告媒体用の環状装身具が提供できるようになる。【００４４】  請求項２及び請求項５〜請求項７の考案によって、耐久性や強度を要求されかつ高品質なイメージを要求されたり要望されたりする場合でも対応が可能な環状装身具が可能になり、本願明細書で記載された前記スペース部に記載される内容を作成するに当たり本考案を実施しようとする企業やスポンサーの多様な要求や要望に応えることが可能でありながら本考案の装着者の一般道での歩行中に二輪車や自動二輪車や四輪車から身を守ることが可能な広告媒体用の環状装身具が提供できるようになる。【００４５】  請求項３及び請求項５〜請求項７の考案によって、耐久性や強度を要求されてかつ量産化への対応も可能であるためイベンドでの入場券やチケットとしての要求や要望に応えられる環状装身具が可能になり、さらに広告用スペース部の併用も可能なので広告効果の向上も期待でき本考案を実施しようとする企業やスポンサーの募集にも役立つものであるという広告業界からの評価を受けつつ、本考案の装着者の一般道での歩行中に二輪車や自動二輪車や四輪車から身を守ることが可能な広告媒体用の環状装身具が提供できるようになる。【００４６】  請求項４及び請求項５〜請求項７の考案によって、本考案の装着者の身体への装着感やフィット感を向上させつつ、量産化への対応も可能であるためイベンドでの入場券やチケットとしての要求や要望に応えられる環状装身具が可能になり、かつ本願明細書で記載された広告用スペース部の併用により広告媒体としての価値観も向上したとの評価を広告業界から頂き、さらに本考案の装着者の一般道での歩行中に二輪車や自動二輪車や四輪車から身を守ることが可能な広告媒体用の環状装身具が提供できるようになる。【００４７】  請求項１〜請求項７の考案によって、以下の考案の効果が期待できる広告媒体用の環状装身具の提供が可能になる。
（４７−１）低コストの量産品から高品質の小ロットタイプの環状装身具の提供が可能になることで、広告の対象となる商品の販売価格によって広告媒体としての環状装身具の選択の幅が広がる。
（４７−２）上述した理由に加えて、消費者のライフスタイルに合わせた環状装身具の設計が可能になり、例えば学生（小学生や中学生や高校生や大学生や専門学校生）が着用する場合を想定した商品の広告用として、例えば通勤時での使用を想定した商品の広告用として、性別に合わせた商品の広告用として、世代別に合わせた商品の広告用として、設計した広告媒体としての環状装身具の提供が可能になる。
（４７−３）本願明細書で記載された前記スペース部を少なくとも３か所設けることで、少なくとも三種類の広告用メッセージを設けることが可能になり広告効果を向上させる広告媒体としての環状装身具の提供が可能になる。
（４７−４）本願明細書で記載された前記スペース部を少なくとも３か所設けることで、少なくとも三種類のイベント実施スペース部を設けることが可能になり即ち三種類のイベント用チケットや入場券を表示することが可能になる広告媒体としての環状装身具の提供ができる。
（４７−５）本願明細書で記載された前記スペース部を少なくとも３か所設けることで、少なくとも三種類の発光手段を設けることが可能になり即ち三種類の液晶ディスプレイを表示することが可能になる広告媒体としての環状装身具の提供ができる。
（４７−６）上述した三種類の液晶ディスプレイを表示することが可能になる広告媒体としての環状装身具の提供ができる場合には、その内の一つをイベント用チケットや入場券を表示することが可能になる広告媒体としての環状装身具の提供が可能になる。【００４８】
【考案を実施するための最良の形態】
【００４９】  以下、本考案の広告媒体用の環状装身具の実施の形態について、図１〜図４に基づいて説明する。
図１は本考案の実施の形態例を示す概略説明図である。図２は本考案の実施の形態例を示す概略説明図である。図３は本考案の実施の形態例を示す概略説明図である。図４は本考案の実施の形態例を示す概略説明図である。
【実施例１】
【００５０】  図１より、１０は円形で無端の環状体に形成された環状装身具であり、環状装身具１０は弾性を備えた基材の環状体にするか可撓性を備えた基材の環状体にするかは本考案を採用する企業やスポンサーのニーズに合わせて選択することが可能であり、１１は第一スペース部であり第一スペース部１１は広告用スペース部やイベント告知スペース部やイベント運営スペース部やイベント実施スペース部などから選択され、１２は第二スペース部であり第二スペース部１２は広告用スペース部やイベント告知スペース部やイベント運営スペース部やイベント実施スペース部などから選択され、１３は第三スペース部であり第三スペース部１３は広告用スペース部やイベント告知スペース部やイベント運営スペース部やイベント実施スペース部などから選択される。また第一スペース部１１や第二スペース部１２や第三スペース部１３の少なくとも一部には本願明細書で記載された蛍光体や蓄光体を貼付したり蛍光物質や蓄光物質を塗布したり光反射体を貼付したり鏡面体を貼付したり発光手段を設けることも可能であり好ましい。【００５１】  図１の広告媒体用の環状装身具の実施の形態例より、環状装身具１０に用いる合成樹脂基材は、その樹脂の種類としてとくに限定されるものではない。コスト面、成形の容易性等を考慮して、例えばポリプロピレン、ポリエチレン、ポリスチレン、アクリロニトリル、ＡＢＳ樹脂等のポリオレフィン系熱可塑性合成樹脂を好適に使用しうる。用途との関係において、弾性の保有が要求される場合には、エチレン・プロピレンゴム（ＥＰＤＭ）、スチレンブタジェン共重合系ゴム（ＳＢＲ）、ニトリルゴム（ＮＢＲ）、シリコーンゴム等の合成ゴムの使用も可能であり、中でもシリコーンゴムは、硬度の調整が容易であり、人体との融和性に優れているため、皮膚に直接接触する状態で使用される可能性のある環状装身具１０の用途において皮膚にアレルギー反応を生じさせるおそれが少ない点で特に推奨される。
図１は、本考案の利用者の手首に装着して使用する腕輪状態に構成された広告媒体用の環状装身具の一例を示すものである。環状装身具１０は、本考案に係る前記合成樹脂基材の中から選択された組成物をもって円形の無端環状に形成されたものであり、第一スペース部１１の任意部位に本願明細書で記載された蛍光体や蓄光体を貼付したり蛍光物質や蓄光物質を塗布したり光反射体を貼付したり鏡面体を貼付した後に任意の広告内容を表示し、第二スペース部１２の任意部位に本願明細書で記載された蛍光体や蓄光体を貼付したり蛍光物質や蓄光物質を塗布したり光反射体を貼付したり鏡面体を貼付した後に任意の広告内容を表示し、第三スペース部１３は本考案を実施する企業やスポンサーの要望に応えイベント実施スペース部として利用することを選択しイベントの入場券やチケットとして機能する情報を表示するものとする。【００５２】  この環状装身具１０を入手した顧客の一人は、イベントの参加のために外出時これを手首に通して装着し、移動時に第一スペース部１１の広告内容を認識した後にこの広告が発したメッセージを受け入れるか否かを思案し、また第二スペース部１２の広告内容を認識した後にこの広告が発したメッセージを受け入れるか否かを思案している間にイベント会場に近づいてきたが、この考案のおかげで即ち第三スペース部１３に表示されたイベントの入場券やチケット情報によりイベントの入場券やチケットの紛失の心配もなく、またどこにしまったかを探す必要もなく確実にイベント会場に入場することができた。イベントが終了すると夜になっていたが、夜間の帰り道においても第一スペース部１１や第一スペース部１２に形成した蛍光体や蓄光体や蛍光物質や蓄光物質や光反射体や鏡面体の機能のおかげで後方からの自転車や自動二輪車や四輪車から発せられる光に反応することでその使用者の存在を外部から視認し易いものとして、特に外部の走行中の自動車や自転車等の運転者に注意を促し、ひいては上記使用者の安全性の確保に役立つものである。
また、環状装身具１０の基材に樹脂組成物を選択した場合には、手首等への脱着容易性、良好な着用感等を得るために、その樹脂基材として弾性を有する合成ゴムを使用したものが好ましい。特にシリコーンゴムを用いた樹脂組成物を適用するのが好ましい。
【実施例２】
【００５３】  図２より、２０は円形で有端の疑似環状体に形成された環状装身具であり、環状装身具２０は弾性を備えた基材の疑似環状体にするか可撓性を備えた基材の疑似環状体にするかは本考案を採用する企業やスポンサーのニーズに合わせて選択することが可能であり、２１は第一スペース部であり第一スペース部２１は広告用スペース部やイベント告知スペース部やイベント運営スペース部やイベント実施スペース部などから選択され、２２は第二スペース部であり第二スペース部２２は広告用スペース部やイベント告知スペース部やイベント運営スペース部やイベント実施スペース部などから選択され、２３は第三スペース部であり第三スペース部２３は広告用スペース部やイベント告知スペース部やイベント運営スペース部やイベント実施スペース部などから選択され、２５は円形の環状体に切欠きが形成されるようにしたことで生じた有端部であり、有端部２５の形状や寸法は任意である。また第一スペース部２１や第二スペース部２２や第三スペース部２３の少なくとも一部には本願明細書で記載された蛍光体や蓄光体を貼付したり蛍光物質や蓄光物質を塗布したり光反射体を貼付したり鏡面体を貼付したり発光手段を設けることも可能であり好ましい。【００５４】  図２の広告媒体用の環状装身具の実施の形態例より、環状装身具２０に用いる合成樹脂基材は、その樹脂の種類としてとくに限定されるものではない。コスト面、成形の容易性等を考慮して、例えばポリプロピレン、ポリエチレン、ポリスチレン、アクリロニトリル、ＡＢＳ樹脂等のポリオレフィン系熱可塑性合成樹脂を好適に使用しうる。用途との関係において、弾性の保有が要求される場合には、エチレン・プロピレンゴム（ＥＰＤＭ）、スチレンブタジェン共重合系ゴム（ＳＢＲ）、ニトリルゴム（ＮＢＲ）、シリコーンゴム等の合成ゴムの使用も可能であり、中でもシリコーンゴムは、硬度の調整が容易であり、人体との融和性に優れているため、皮膚に直接接触する状態で使用される可能性のある環状装身具１０の用途において皮膚にアレルギー反応を生じさせるおそれが少ない点で特に推奨される。
また例えば、環状装身具２０の材料をＡＢＳ樹脂とすれば、金属製ブレスレットや時計と比較して軽く、着用者に着用の煩わしさを感じさせず、また、ＡＢＳ樹脂は熱可塑性を有するから、例えば射出成型等により簡単に大量生産しやすく、例えば有端部２５の形状や寸法は任意の略Ｃ状になるように形成され、形状や寸法は任意の第一スペース部２１が形成され、形状や寸法は任意の第二スペース部２２が形成され、形状や寸法は任意の第三スペース部２３が形成されるように設計したる環状装身具２０用の型枠を形成し、これにＡＢＳ樹脂を射出成型して環状装身具２０を形成する。
図２は、本考案の利用者の手首に装着して使用する腕輪状態に構成された広告媒体用の環状装身具の一例を示すものである。環状装身具２０は、本考案に係る前記合成樹脂基材の中から選択された組成物をもって円形の無端環状に形成されたものであり、第一スペース部２１の任意部位に本願明細書で記載された蛍光体や蓄光体を貼付したり蛍光物質や蓄光物質を塗布したり光反射体を貼付したり鏡面体を貼付した後に任意の広告内容を表示し、第二スペース部２２の任意部位に本願明細書で記載された蛍光体や蓄光体を貼付したり蛍光物質や蓄光物質を塗布したり光反射体を貼付したり鏡面体を貼付した後に任意の広告内容を表示し、第三スペース部２３は本考案を実施する企業やスポンサーの要望に応えイベント実施スペース部として利用することを選択しイベントの入場券やチケットとして機能する情報を表示するものとする。【００５５】  この環状装身具２０を入手した顧客の一人は、イベントの参加のために外出時これを手首に通して装着し、移動時に第一スペース部２１の広告内容を認識した後にこの広告が発したメッセージを受け入れるか否かを思案し、また第二スペース部２２の広告内容を認識した後にこの広告が発したメッセージを受け入れるか否かを思案している間にイベント会場に近づいてきたが、この考案のおかげで即ち第三スペース部２３に表示されたイベントの入場券やチケット情報によりイベントの入場券やチケットの紛失の心配もなく、またどこにしまったかを探す必要もなく確実にイベント会場に入場することができた。イベントが終了すると夜になっていたが、夜間の帰り道においても第一スペース部２１や第一スペース部２２に形成した蛍光体や蓄光体や蛍光物質や蓄光物質や光反射体や鏡面体の機能のおかげで後方からの自転車や自動二輪車や四輪車から発せられる光に反応することでその使用者の存在を外部から視認し易いものとして、特に外部の走行中の自動車や自転車等の運転者に注意を促し、ひいては上記使用者の安全性の確保に役立つものである。
また、有端部２５の形状や寸法は任意であるが、本考案に係る環状装身具２０は、人の腕にはめる環状装身具２０であって、有端部２５の両端部分を対向させて解放する略Ｃ字状に形成されることで、人の腕に着用するために、環状装身具２０の略Ｃ字状を変形させることが容易になるよう材料も調合してあることで、着脱が容易になる様にしてある。なお、その環状装身具２０の端部全てには、着用者の腕等や衣服に引っかからないようにするために、角を取る面取り処理がしてある。このような構造によって環状装身具２０は、有端部２５の両端部分を変形させることで着用者の腕等にはめることができる。また、外すときにおいても、この両端部分を開いて簡単に外すことができる。
【実施例３】
【００５６】  図３より、３０は基材が弾性を備えた細長薄板状で環状に変形するように形成される環状装身具であり、環状装身具３０は手首に巻き付けることで環状に変形するような弾性を備えた細長薄板状で形成され、基材が金属製か硬質樹脂製であるかは本考案を採用する企業やスポンサーのニーズに合わせて選択することが可能であり、３１は第一スペース部であり第一スペース部３１は広告用スペース部やイベント告知スペース部やイベント運営スペース部やイベント実施スペース部などから選択され、３２は第二スペース部であり第二スペース部３２は広告用スペース部やイベント告知スペース部やイベント運営スペース部やイベント実施スペース部などから選択される。また第一スペース部３１や第二スペース部３２の少なくとも一部には本願明細書で記載された蛍光体や蓄光体を貼付したり蛍光物質や蓄光物質を塗布したり光反射体を貼付したり鏡面体を貼付したり発光手段を設けることも可能であり好ましい。【００５７】  この環状装身具３０を入手した顧客の一人は、イベントの参加のために外出時これを手首に装着し、移動時に第一スペース部３１の広告内容を認識した後にこの広告が発したメッセージを受け入れるか否かを思案している間にイベント会場に近づいてきたが、この考案のおかげで即ち第二スペース部３２に表示されたイベントの入場券やチケット情報によりイベントの入場券やチケットの紛失の心配もなく、またどこにしまったかを探す必要もなく確実にイベント会場に入場することができた。イベントが終了すると夜になっていたが、夜間の帰り道においても第一スペース部３１や第二スペース部３２に形成した蛍光体や蓄光体や蛍光物質や蓄光物質や光反射体や鏡面体の機能のおかげで後方からの自転車や自動二輪車や四輪車から発せられる光に反応することでその使用者の存在を外部から視認し易いものとして、特に外部の走行中の自動車や自転車等の運転者に注意を促し、ひいては上記使用者の安全性の確保に役立つものである。
【実施例４】
【００５８】  図４より、４０は可撓性を備えた皮革製のバンド状で環状に変形するように形成される環状装身具であり、環状装身具４０は手首に巻き付けることで環状に変形するように形成され、基材が天然皮革製か合成皮革製か人工皮革製かは本考案を採用する企業やスポンサーのニーズに合わせて選択することが可能であり、４１は第一スペース部であり第一スペース部４１は広告用スペース部やイベント告知スペース部やイベント運営スペース部やイベント実施スペース部などから選択され、４２は第二スペース部であり第二スペース部４２は広告用スペース部やイベント告知スペース部やイベント運営スペース部やイベント実施スペース部などから選択され、４３は第三スペース部であり第三スペース部４３は広告用スペース部やイベント告知スペース部やイベント運営スペース部やイベント実施スペース部などから選択される。また第一スペース部４１や第二スペース部４２や第三スペース部４３の少なくとも一部には本願明細書で記載された蛍光体や蓄光体を貼付したり蛍光物質や蓄光物質を塗布したり光反射体を貼付したり鏡面体を貼付したり発光手段を設けることも可能であり好ましい。４５は環状装身具４０の一端部に設けられた係止突起であり、係止突起４５は金属製か硬質樹脂製でピン状に形成される。４６は環状装身具４０の他端部側に係止突起４５に対応する大きさの複数個の係止孔であり、係止孔４６は環状装身具４０の他端部側に列設されてなるものである。この環状装身具４０は図３に示すように手首等の装着部位の外周面に沿わせて撓曲し、係止突起４５を対応位置の任意の係止孔４６に強制嵌合して両端部を相互接結して環状に形成することにより、着用部位に捲回状態に装着して使用するものである。【００５９】  この環状装身具４０を入手した顧客の一人は、イベントの参加のために外出時これを手首に巻き付けて装着し、移動時に第一スペース部４１の広告内容を認識した後にこの広告が発したメッセージを受け入れるか否かを思案し、また第二スペース部４２の広告内容を認識した後にこの広告が発したメッセージを受け入れるか否かを思案している間にイベント会場に近づいてきたが、この考案のおかげで即ち第三スペース部４３に表示されたイベントの入場券やチケット情報によりイベントの入場券やチケットの紛失の心配もなく、またどこにしまったかを探す必要もなく確実にイベント会場に入場することができた。イベントが終了すると夜になっていたが、夜間の帰り道においても第一スペース部４１や第二スペース部４２に形成した蛍光体や蓄光体や蛍光物質や蓄光物質や光反射体や鏡面体の機能のおかげで後方からの自転車や自動二輪車や四輪車から発せられる光に反応することでその使用者の存在を外部から視認し易いものとして、特に外部の走行中の自動車や自転車等の運転者に注意を促し、ひいては上記使用者の安全性の確保に役立つものである。【００６０】  上記実施の形態の説明は、本考案を説明するためのものであって、実用新案登録請求の範囲に記載の考案を限定し、或は範囲を減縮するものではない。また、本考案の各部構成は上記実施の形態に限らず、実用新案登録請求の範囲に記載の技術的範囲内で種々の変形が可能である。
【産業上の利用可能性】
【００６１】  本考案の広告媒体用の環状装身具は、従来のブレスレットのような環状装身具を広告媒体として活用することで、産業の発展に寄与するので、世の中に普及することが好ましい。
【図面の簡単な説明】
【００６２】
【図１】本考案の実施の形態例を示す概略説明図である。
【図２】本考案の実施の形態例を示す概略説明図である。
【図３】本考案の実施の形態例を示す概略説明図である。
【図４】本考案の実施の形態例を示す概略説明図である。
【符号の説明】
【００６３】  １０：環状装身具
１１：第一スペース部，１２：第二スペース部，１３：第三スペース部
２０：環状装身具，２５：有端部
２１：第一スペース部，２２：第二スペース部，２３：第三スペース部
３０：環状装身具，３１：第一スペース部，３２：第二スペース部
４０：環状装身具，４５：係止突起，４６：係止孔
４１：第一スペース部，４２：第二スペース部，４３：第三スペース部
【図１】
0003220565.tif 000003
【図２】
0003220565.tif 000004
【図３】
0003220565.tif 000005
【図４】
0003220565.tif 000006
【手続補正書】
【提出日】平成30年12月23日(2018.12.23)
【手続補正１】
【補正対象書類名】実用新案登録請求の範囲
【補正対象項目名】全文
【補正方法】変更
【補正の内容】
【実用新案登録請求の範囲】
【請求項１】
基材が弾性を備えた細長板状で環状体又は環状に変形するように形成される環状装身具において、前記環状装身具の本体の所定部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コードを表示できるように形成したことを特徴とする広告媒体用の環状装身具。
【請求項２】
基材が可撓性を備えた細長帯状で環状体又は環状に可撓結着しうる有端の細長帯状体に形成される環状装身具において、前記環状装身具の本体の所定部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コードを表示できるように形成したことを特徴とする広告媒体用の環状装身具。
【請求項３】
基材が弾性を備えた環状体や疑似環状体であることを特徴とする環状装身具において、前記環状装身具の本体の所定部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コードを表示できるように形成したことを特徴とする広告媒体用の環状装身具。
【請求項４】
基材が可撓性を備えた環状体や疑似環状体であることを特徴とする環状装身具において、前記環状装身具の本体の所定部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コードを表示できるように形成したことを特徴とする広告媒体用の環状装身具。
【請求項５】
前記スペース部の少なくとも一部に、蛍光体や蓄光体を貼付したり、蛍光物質や蓄光物質を塗布したり、することを特徴とする、請求項１から請求項４のいずれかに記載の広告媒体用の環状装身具。
【請求項６】
前記スペース部の少なくとも一部に、光反射体を貼付、することを特徴とする、請求項１から請求項４のいずれかに記載の広告媒体用の環状装身具。
【請求項７】
前記スペース部の少なくとも一部に、鏡面体を貼付、することを特徴とする、請求項１から請求項４のいずれかに記載の広告媒体用の環状装身具。
【請求項８】
前記スペース部の少なくとも一部に、発光手段を設けることを特徴とする、請求項１から請求項７のいずれかに記載の広告媒体用の環状装身具。
【手続補正２】
【補正対象書類名】明細書
【補正対象項目名】００１５
【補正方法】変更
【補正の内容】
【００１５】  課題を解決するための第１の手段は、基材が弾性を備えた細長板状で環状に変形するように形成される環状装身具において、前記環状装身具の本体の所定部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コードを表示できるように形成したことを特徴とする広告媒体用の環状装身具を提供することである。
【手続補正３】
【補正対象書類名】明細書
【補正対象項目名】００１８
【補正方法】変更
【補正の内容】
【００１８】  課題を解決するための第１の手段で記載されたイベントに関しては、例えばアマチュアやプロが行うスポーツ大会としては一般的には、球技系としては野球やサッカーやラグビーやアメリカンフットボールやバレーボールやバスケットボールやテニスや卓球等、格闘技系としては柔道や剣道や空手やボクシングやレスリング等が知られている。また例えば、ワールドカップやオリンピックやパラリンピックなど世界的なスポーツ大会等が知られている。また例えば、万国博覧会などの国家的な行事や地方公共団体や地域社会や企業が行う博覧会や展示会等が知られている。また例えば、歌手や合唱団や楽団や音楽家や演奏家によるコンサートや演奏会や音楽祭等が知られている。
課題を解決するための第１の手段で記載された、前記環状装身具の本体の所定部位には、広告用スペース部やイベント告知スペース部やイベント運営スペース部やイベント実施スペース部などから選択された少なくとも一つ以上の前記スペース部を設け、ることに関しては、例えば本考案では前記環状装身具の本体の所定部位には広告用スペース部のみの場合やイベント告知スペース部のみの場合やイベント運営スペース部のみの場合やイベント実施スペース部のみの場合も可能であるものとする。また例えば本考案では、広告用スペース部とイベント告知スペース部の場合や広告用スペース部とイベント運営スペース部の場合や広告用スペース部とイベント実施スペース部の場合も可能であるものとする。また例えば本考案では、広告用スペース部とイベント告知スペース部とイベント運営スペース部の場合や広告用スペース部とイベント告知スペース部とイベント実施スペース部の場合も可能であるものとする。また例えば本考案では、広告用スペース部とイベント告知スペース部とイベント運営スペース部とイベント実施スペース部の場合も可能であるものとする。
【手続補正４】
【補正対象書類名】明細書
【補正対象項目名】００１９
【補正方法】変更
【補正の内容】
【００１９】  課題を解決するための第１の手段で記載された一次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記機械読み取り可能表示手段の一例に関しては一般的にはバーコードやバーコードデータが知られており、前記バーコード（英：ｂａｒｃｏｄｅ）は、縞模様状の線の太さによって数値や文字を表す識別子であり、数字、文字、記号などの情報を一定の規則に従い一次元のコードに変換し、レジスターなどの機械が読み取りやすいデジタル情報として入出力できるようにしている。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第１の手段で記載された二次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記二次元コードに関しては、例えば前記バーコードは横方向にのみ意味があり、表すデータも数列や文字列でどちらも一次元だが、ドットを縦横に配列し多くの情報を表すことが可能な二次元のコードに変換し、レジスターなどの機械が読み取りやすいデジタル情報として入出力できるように表示手段を介して表示し、前記二次元コードの代表的なものにデンソーウェーブのＱＲコードが知られており前記ＱＲコードは、１９９４年にデンソーの開発部門（現在は分離しデンソーウェーブ）が開発したマトリックス型二次元コードであり、かつＱＲコードはデンソーウェーブの登録商標（第４０７５０６６号）である。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第１の手段で記載された、数字や文字や記号や図形や一次元コードや二次元コードを表示できるように形成、することに関しては、一般的には表示手段を介して表示することが好ましいが、前記表示手段に関しては、課題を解決するための第１の手段で記載された前記スペース部に課題を解決するための第１の手段で記載された数字や文字や記号や図形や一次元コードや二次元コードの情報を表示するためならどんな手段でも構わないが、例えば一般的に知られた印刷装置や印字装置を介した印刷手段や印字手段、予め前記情報を印刷や印字されたラベルを添付する手段などが知られている。
【手続補正５】
【補正対象書類名】明細書
【補正対象項目名】００２０
【補正方法】変更
【補正の内容】
【００２０】  課題を解決するための第２の手段は、基材が可撓性を備えた細長帯状で環状に可撓結着しうる有端の細長帯状体に形成される環状装身具において、前記環状装身具の本体の所定部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コードを表示できるように形成したことを特徴とする広告媒体用の環状装身具を提供することである。
【手続補正６】
【補正対象書類名】明細書
【補正対象項目名】００２３
【補正方法】変更
【補正の内容】
【００２３】  課題を解決するための第２の手段で記載されたイベントに関しては、例えばアマチュアやプロが行うスポーツ大会としては一般的には、球技系としては野球やサッカーやラグビーやアメリカンフットボールやバレーボールやバスケットボールやテニスや卓球等、格闘技系としては柔道や剣道や空手やボクシングやレスリング等が知られている。また例えば、ワールドカップやオリンピックやパラリンピックなど世界的なスポーツ大会等が知られている。また例えば、万国博覧会などの国家的な行事や地方公共団体や地域社会や企業が行う博覧会や展示会等が知られている。また例えば、歌手や合唱団や楽団や音楽家や演奏家によるコンサートや演奏会や音楽祭等が知られている。
課題を解決するための第２の手段で記載された、前記環状装身具の本体の所定部位には、広告用スペース部やイベント告知スペース部やイベント運営スペース部やイベント実施スペース部などから選択された少なくとも一つ以上の前記スペース部を設け、ることに関しては、例えば本考案では前記環状装身具の本体の任意部位には広告用スペース部のみの場合やイベント告知スペース部のみの場合やイベント運営スペース部のみの場合やイベント実施スペース部のみの場合も可能であるものとする。また例えば本考案では、広告用スペース部とイベント告知スペース部の場合や広告用スペース部とイベント運営スペース部の場合や広告用スペース部とイベント実施スペース部の場合も可能であるものとする。また例えば本考案では、広告用スペース部とイベント告知スペース部とイベント運営スペース部の場合や広告用スペース部とイベント告知スペース部とイベント実施スペース部の場合も可能であるものとする。また例えば本考案では、広告用スペース部とイベント告知スペース部とイベント運営スペース部とイベント実施スペース部の場合も可能であるものとする。
【手続補正７】
【補正対象書類名】明細書
【補正対象項目名】００２４
【補正方法】変更
【補正の内容】
【００２４】  課題を解決するための第２の手段で記載された一次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記機械読み取り可能表示手段の一例に関しては一般的にはバーコードやバーコードデータが知られており、前記バーコード（英：ｂａｒｃｏｄｅ）は、縞模様状の線の太さによって数値や文字を表す識別子であり、数字、文字、記号などの情報を一定の規則に従い一次元のコードに変換し、レジスターなどの機械が読み取りやすいデジタル情報として入出力できるようにしている。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第２の手段で記載された二次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記二次元コードに関しては、例えば前記バーコードは横方向にのみ意味があり、表すデータも数列や文字列でどちらも一次元だが、ドットを縦横に配列し多くの情報を表すことが可能な二次元のコードに変換し、レジスターなどの機械が読み取りやすいデジタル情報として入出力できるように表示手段を介して表示し、前記二次元コードの代表的なものにデンソーウェーブのＱＲコードが知られており前記ＱＲコードは、１９９４年にデンソーの開発部門（現在は分離しデンソーウェーブ）が開発したマトリックス型二次元コードであり、かつＱＲコードはデンソーウェーブの登録商標（第４０７５０６６号）である。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第２の手段で記載された、数字や文字や記号や図形や一次元コードや二次元コードを表示できるように形成、することに関しては、一般的には表示手段を介して表示することが好ましいが、前記表示手段に関しては、課題を解決するための第２の手段で記載された前記スペース部に課題を解決するための第２の手段で記載された数字や文字や記号や図形や一次元コードや二次元コードの情報を表示するためならどんな手段でも構わないが、例えば一般的に知られた印刷装置や印字装置を介した印刷手段や印字手段、予め前記情報を印刷や印字されたラベルを添付する手段などが知られている。
【手続補正８】
【補正対象書類名】明細書
【補正対象項目名】００２５
【補正方法】変更
【補正の内容】
【００２５】  課題を解決するための第３の手段は、基材が弾性を備えた環状体や疑似環状体であることを特徴とする環状装身具において、前記環状装身具の本体の所定部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コードを表示できるように形成したことを特徴とする広告媒体用の環状装身具を提供することである。
【手続補正９】
【補正対象書類名】明細書
【補正対象項目名】００２８
【補正方法】変更
【補正の内容】
【００２８】  課題を解決するための第３の手段で記載されたイベントに関しては、例えばアマチュアやプロが行うスポーツ大会としては一般的には、球技系としては野球やサッカーやラグビーやアメリカンフットボールやバレーボールやバスケットボールやテニスや卓球等、格闘技系としては柔道や剣道や空手やボクシングやレスリング等が知られている。また例えば、ワールドカップやオリンピックやパラリンピックなど世界的なスポーツ大会等が知られている。また例えば、万国博覧会などの国家的な行事や地方公共団体や地域社会や企業が行う博覧会や展示会等が知られている。また例えば、歌手や合唱団や楽団や音楽家や演奏家によるコンサートや演奏会や音楽祭等が知られている。
課題を解決するための第３の手段で記載された、前記環状装身具の本体の所定部位には、広告用スペース部やイベント告知スペース部やイベント運営スペース部やイベント実施スペース部などから選択された少なくとも一つ以上の前記スペース部を設け、ることに関しては、例えば本考案では前記環状装身具の本体の所定部位には広告用スペース部のみの場合やイベント告知スペース部のみの場合やイベント運営スペース部のみの場合やイベント実施スペース部のみの場合も可能であるものとする。また例えば本考案では、広告用スペース部とイベント告知スペース部の場合や広告用スペース部とイベント運営スペース部の場合や広告用スペース部とイベント実施スペース部の場合も可能であるものとする。また例えば本考案では、広告用スペース部とイベント告知スペース部とイベント運営スペース部の場合や広告用スペース部とイベント告知スペース部とイベント実施スペース部の場合も可能であるものとする。また例えば本考案では、広告用スペース部とイベント告知スペース部とイベント運営スペース部とイベント実施スペース部の場合も可能であるものとする。
【手続補正１０】
【補正対象書類名】明細書
【補正対象項目名】００２９
【補正方法】変更
【補正の内容】
【００２９】  課題を解決するための第３の手段で記載された一次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記機械読み取り可能表示手段の一例に関しては一般的にはバーコードやバーコードデータが知られており、前記バーコード（英：ｂａｒｃｏｄｅ）は、縞模様状の線の太さによって数値や文字を表す識別子であり、数字、文字、記号などの情報を一定の規則に従い一次元のコードに変換し、レジスターなどの機械が読み取りやすいデジタル情報として入出力できるようにしている。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第３の手段で記載された二次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記二次元コードに関しては、例えば前記バーコードは横方向にのみ意味があり、表すデータも数列や文字列でどちらも一次元だが、ドットを縦横に配列し多くの情報を表すことが可能な二次元のコードに変換し、レジスターなどの機械が読み取りやすいデジタル情報として入出力できるように表示手段を介して表示し、前記二次元コードの代表的なものにデンソーウェーブのＱＲコードが知られており前記ＱＲコードは、１９９４年にデンソーの開発部門（現在は分離しデンソーウェーブ）が開発したマトリックス型二次元コードであり、かつＱＲコードはデンソーウェーブの登録商標（第４０７５０６６号）である。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第３の手段で記載された、数字や文字や記号や図形や一次元コードや二次元コードを表示できるように形成、することに関しては、一般的には表示手段を介して表示することが好ましいが、前記表示手段に関しては、課題を解決するための第３の手段で記載された前記スペース部に課題を解決するための第３の手段で記載された数字や文字や記号や図形や一次元コードや二次元コードの情報を表示するためならどんな手段でも構わないが、例えば一般的に知られた印刷装置や印字装置を介した印刷手段や印字手段、予め前記情報を印刷や印字されたラベルを添付する手段などが知られている。
【手続補正１１】
【補正対象書類名】明細書
【補正対象項目名】００３０
【補正方法】変更
【補正の内容】
【００３０】  課題を解決するための第４の手段は、基材が可撓性を備えた環状体や疑似環状体であることを特徴とする環状装身具において、前記環状装身具の本体の所定部位には、広告用スペース部やイベント告知スペース部やイベント運営スペース部やイベント実施スペース部などから選択された少なくとも一つ以上の前記スペース部を設け、前記スペース部には数字や文字や記号や図形や一次元コードや二次元コードを表示できるように形成したことを特徴とする広告媒体用の環状装身具を提供することである。
【手続補正１２】
【補正対象書類名】明細書
【補正対象項目名】００３３
【補正方法】変更
【補正の内容】
【００３３】  課題を解決するための第４の手段で記載されたイベントに関しては、例えばアマチュアやプロが行うスポーツ大会としては一般的には、球技系としては野球やサッカーやラグビーやアメリカンフットボールやバレーボールやバスケットボールやテニスや卓球等、格闘技系としては柔道や剣道や空手やボクシングやレスリング等が知られている。また例えば、ワールドカップやオリンピックやパラリンピックなど世界的なスポーツ大会等が知られている。また例えば、万国博覧会などの国家的な行事や地方公共団体や地域社会や企業が行う博覧会や展示会等が知られている。また例えば、歌手や合唱団や楽団や音楽家や演奏家によるコンサートや演奏会や音楽祭等が知られている。
課題を解決するための第４の手段で記載された、前記環状装身具の本体の所定部位には、広告用スペース部やイベント告知スペース部やイベント運営スペース部やイベント実施スペース部などから選択された少なくとも一つ以上の前記スペース部を設け、ることに関しては、例えば本考案では前記環状装身具の本体の任意部位には広告用スペース部のみの場合やイベント告知スペース部のみの場合やイベント運営スペース部のみの場合やイベント実施スペース部のみの場合も可能であるものとする。また例えば本考案では、広告用スペース部とイベント告知スペース部の場合や広告用スペース部とイベント運営スペース部の場合や広告用スペース部とイベント実施スペース部の場合も可能であるものとする。また例えば本考案では、広告用スペース部とイベント告知スペース部とイベント運営スペース部の場合や広告用スペース部とイベント告知スペース部とイベント実施スペース部の場合も可能であるものとする。また例えば本考案では、広告用スペース部とイベント告知スペース部とイベント運営スペース部とイベント実施スペース部の場合も可能であるものとする。
【手続補正１３】
【補正対象書類名】明細書
【補正対象項目名】００３４
【補正方法】変更
【補正の内容】
【００３４】  課題を解決するための第４の手段で記載された一次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記機械読み取り可能表示手段の一例に関しては一般的にはバーコードやバーコードデータが知られており、前記バーコード（英：ｂａｒｃｏｄｅ）は、縞模様状の線の太さによって数値や文字を表す識別子であり、数字、文字、記号などの情報を一定の規則に従い一次元のコードに変換し、レジスターなどの機械が読み取りやすいデジタル情報として入出力できるようにしている。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第４の手段で記載された二次元コードに関しては、人間が読み取り可能な表示手段でも機械読み取り可能な表示手段でも構わないがどちらか選択された一方、或いは両方の形で、本願明細書で記載されたスペース部に表示手段を介して表示されることを特徴とする。前記二次元コードに関しては、例えば前記バーコードは横方向にのみ意味があり、表すデータも数列や文字列でどちらも一次元だが、ドットを縦横に配列し多くの情報を表すことが可能な二次元のコードに変換し、レジスターなどの機械が読み取りやすいデジタル情報として入出力できるように表示手段を介して表示し、前記二次元コードの代表的なものにデンソーウェーブのＱＲコードが知られており前記ＱＲコードは、１９９４年にデンソーの開発部門（現在は分離しデンソーウェーブ）が開発したマトリックス型二次元コードであり、かつＱＲコードはデンソーウェーブの登録商標（第４０７５０６６号）である。前記スペース部に関しては、本願明細書で記載された、広告用スペース部、イベント告知スペース部、イベント運営スペース部、イベント実施スペース部、等から選択された一つ又はこれらの中から選択された任意の組合せであるものとする。
課題を解決するための第４の手段で記載された、数字や文字や記号や図形や一次元コードや二次元コードを表示できるように形成、することに関しては、一般的には表示手段を介して表示することが好ましいが、前記表示手段に関しては、課題を解決するための第４の手段で記載された前記スペース部に課題を解決するための第４の手段で記載された数字や文字や記号や図形や一次元コードや二次元コードの情報を表示するためならどんな手段でも構わないが、例えば一般的に知られた印刷装置や印字装置を介した印刷手段や印字手段、予め前記情報を印刷や印字されたラベルを添付する手段などが知られている。
【手続補正１４】
【補正対象書類名】明細書
【補正対象項目名】００５０
【補正方法】変更
【補正の内容】
【００５０】  図１より、１０は円形で無端の環状体に形成された環状装身具であり、環状装身具１０は弾性を備えた基材の環状体にするか可撓性を備えた基材の環状体にするかは本考案を採用する企業やスポンサーのニーズに合わせて選択することが可能であり、１１は第一スペース部であり図１に示すような部位に設けられ、第一スペース部１１は広告用スペース部やイベント告知スペース部やイベント運営スペース部やイベント実施スペース部などから選択され、１２は第二スペース部であり図１に示すような部位に設けられ、第二スペース部１２は広告用スペース部やイベント告知スペース部やイベント運営スペース部やイベント実施スペース部などから選択され、１３は第三スペース部であり図１に示すような部位に設けられ、第三スペース部１３は広告用スペース部やイベント告知スペース部やイベント運営スペース部やイベント実施スペース部などから選択される。また第一スペース部１１や第二スペース部１２や第三スペース部１３の少なくとも一部には本願明細書で記載された蛍光体や蓄光体を貼付したり蛍光物質や蓄光物質を塗布したり光反射体を貼付したり鏡面体を貼付したり発光手段を設けることも可能であり好ましい。
【手続補正１５】
【補正対象書類名】明細書
【補正対象項目名】００５３
【補正方法】変更
【補正の内容】
【００５３】  図２より、２０は円形で有端の疑似環状体に形成された環状装身具であり、環状装身具２０は弾性を備えた基材の疑似環状体にするか可撓性を備えた基材の疑似環状体にするかは本考案を採用する企業やスポンサーのニーズに合わせて選択することが可能であり、２１は第一スペース部であり図２に示すような部位に設けられ、第一スペース部２１は広告用スペース部やイベント告知スペース部やイベント運営スペース部やイベント実施スペース部などから選択され、２２は第二スペース部であり図２に示すような部位に設けられ、第二スペース部２２は広告用スペース部やイベント告知スペース部やイベント運営スペース部やイベント実施スペース部などから選択され、２３は第三スペース部であり図２に示すような部位に設けられ、第三スペース部２３は広告用スペース部やイベント告知スペース部やイベント運営スペース部やイベント実施スペース部などから選択され、２５は円形の環状体に切欠きが形成されるようにしたことで生じた有端部であり、有端部２５の形状や寸法は任意である。また第一スペース部２１や第二スペース部２２や第三スペース部２３の少なくとも一部には本願明細書で記載された蛍光体や蓄光体を貼付したり蛍光物質や蓄光物質を塗布したり光反射体を貼付したり鏡面体を貼付したり発光手段を設けることも可能であり好ましい。
【手続補正１６】
【補正対象書類名】明細書
【補正対象項目名】００５６
【補正方法】変更
【補正の内容】
【００５６】  図３より、３０は基材が弾性を備えた細長薄板状で環状に変形するように形成される環状装身具であり、環状装身具３０は手首に巻き付けることで環状に変形するような弾性を備えた細長薄板状で形成され、基材が金属製か硬質樹脂製であるかは本考案を採用する企業やスポンサーのニーズに合わせて選択することが可能であり、３１は第一スペース部であり図３に示すような部位に設けられ、第一スペース部３１は広告用スペース部やイベント告知スペース部やイベント運営スペース部やイベント実施スペース部などから選択され、３２は第二スペース部であり図３に示すような部位に設けられ、第二スペース部３２は広告用スペース部やイベント告知スペース部やイベント運営スペース部やイベント実施スペース部などから選択される。また第一スペース部３１や第二スペース部３２の少なくとも一部には本願明細書で記載された蛍光体や蓄光体を貼付したり蛍光物質や蓄光物質を塗布したり光反射体を貼付したり鏡面体を貼付したり発光手段を設けることも可能であり好ましい。
【手続補正１７】
【補正対象書類名】明細書
【補正対象項目名】００５８
【補正方法】変更
【補正の内容】
【００５８】  図４より、４０は可撓性を備えた皮革製のバンド状で環状に変形するように形成される環状装身具であり、環状装身具４０は手首に巻き付けることで環状に変形するように形成され、基材が天然皮革製か合成皮革製か人工皮革製かは本考案を採用する企業やスポンサーのニーズに合わせて選択することが可能であり、４１は第一スペース部であり図４に示すような部位に設けられ、第一スペース部４１は広告用スペース部やイベント告知スペース部やイベント運営スペース部やイベント実施スペース部などから選択され、４２は第二スペース部であり図４に示すような部位に設けられ、第二スペース部４２は広告用スペース部やイベント告知スペース部やイベント運営スペース部やイベント実施スペース部などから選択され、４３は第三スペース部であり図４に示すような部位に設けられ、第三スペース部４３は広告用スペース部やイベント告知スペース部やイベント運営スペース部やイベント実施スペース部などから選択される。また第一スペース部４１や第二スペース部４２や第三スペース部４３の少なくとも一部には本願明細書で記載された蛍光体や蓄光体を貼付したり蛍光物質や蓄光物質を塗布したり光反射体を貼付したり鏡面体を貼付したり発光手段を設けることも可能であり好ましい。４５は環状装身具４０の一端部に設けられた係止突起であり、係止突起４５は金属製か硬質樹脂製でピン状に形成される。４６は環状装身具４０の他端部側に係止突起４５に対応する大きさの複数個の係止孔であり、係止孔４６は環状装身具４０の他端部側に列設されてなるものである。この環状装身具４０は図３に示すように手首等の装着部位の外周面に沿わせて撓曲し、係止突起４５を対応位置の任意の係止孔４６に強制嵌合して両端部を相互接結して環状に形成することにより、着用部位に捲回状態に装着して使用するものである。